(57)【特許請求の範囲】
【請求項１】
複数の通信装置を備える通信システムにおいて、
可搬型の情報処理デバイスを備え、
一の通信装置は、
表示部と、
他の通信装置が通信接続するために必要な前記一の通信装置に固有の接続情報を記憶している手段と、
該手段が記憶している前記接続情報を図形パターンで表した図形コードを前記表示部に表示することによって、前記接続情報を出力する第１出力手段と、
前記表示部の画面上で前記図形コードを表示するべき位置の指定を受け付ける受付手段とを有し、
前記第１出力手段は、前記受付手段が前記位置の指定を受け付けた場合に前記図形コードを前記表示部に表示するように構成してあり、
前記情報処理デバイスは、
第１カメラ部と、
前記表示部に表示された図形コードを前記第１カメラ部で読み取ることによって、前記一の通信装置から出力された前記接続情報を取得する第１取得手段と、
該第１取得手段が取得した前記接続情報を記憶する手段と、
該手段が記憶している前記接続情報を前記他の通信装置へ非接触で出力する第２出力手段とを有し、
前記他の通信装置は、
前記情報処理デバイスから出力された前記接続情報を取得する第２取得手段と、
該第２取得手段が取得した前記接続情報を使用して、前記一の通信装置に通信接続を行う手段とを有すること
を特徴とする通信システム。
【請求項２】
前記情報処理デバイスは、表示部を更に有し、
前記第２出力手段は、前記接続情報を図形パターンで表した図形コードを前記表示部に表示することによって前記接続情報を出力するように構成してあり、
前記他の通信装置は、第２カメラ部を更に有し、
前記第２取得手段は、前記情報処理デバイスの表示部に表示された図形コードを前記第２カメラ部で読み取り、読み取った図形コードをデコードすることによって、前記接続情報を取得するように構成してあること
を特徴とする請求項１に記載の通信システム。
【請求項３】
他の通信装置との通信を行う通信装置において、
表示部と、
他の通信装置が通信接続するために必要な自己に固有の接続情報を記憶している手段と、
該手段が記憶している前記接続情報を図形パターンで表した図形コードを前記表示部に表示することによって、前記接続情報を出力する出力手段と、
前記表示部の画面上で前記図形コードを表示するべき位置の指定を受け付ける受付手段と、
外部の装置から出力された他の通信装置に固有の接続情報を取得する手段と、
該手段が取得した前記接続情報を使用して、前記他の通信装置に通信接続を行う手段とを備え、
前記出力手段は、前記受付手段が前記位置の指定を受け付けた場合に前記図形コードを前記表示部に表示するように構成してあること
を特徴とする通信装置。
【発明の詳細な説明】
【技術分野】
【０００１】
本発明は、複数の通信装置の間で通信接続を行う通信システム及び通信装置に関する。
【背景技術】
【０００２】
従来、ＰＣ（パーソナルコンピュータ）又はディスプレイ装置等の複数の通信装置が通信ネットワークに接続され、通信ネットワークを介してデータを交換する通信システムが利用されている。通信システムは、例えばテレビ会議システムである。通信システムで通信装置が他の通信装置に通信接続するためには、ＰＣ名、ＩＰ（Internet Protocol ）アドレス又はパスワード等の通信相手先の通信装置に固有の情報が必要となる。従来、通信接続に必要な通信相手先の通信装置に固有の情報を使用者が調べ、調べた情報を通信装置へ使用者が手動で入力することが行われていた。特許文献１には、ＮＦＣ（Near Field Communication：近距離無線通信）を用いて通信接続に必要な情報を送受信することにより、通信装置と携帯端末機との間で通信接続を行うことが記載されている。
【先行技術文献】
【特許文献】
【０００３】
【特許文献１】特開２０１３−１１５８２８号公報
【発明の概要】
【発明が解決しようとする課題】
【０００４】
通信接続に必要な情報を手作業で通信装置に入力する従来の方法は、手間がかかるという問題がある。また、通信接続に必要な通信相手先の通信装置に固有の情報を調べ、調べた情報を通信装置へ入力するためには、使用者にある程度の知識が必要である。このため、使用者によっては、通信接続の作業が困難である。特許文献１には、通信装置と携帯端末機との間で通信接続を行うことは記載されているものの、複数の通信装置の間で通信接続を容易に行う技術は知られていない。
【０００５】
本発明は、斯かる事情に鑑みてなされたものであって、その目的とするところは、複数の通信装置の間で通信接続を容易に行うことができる通信システム及び通信装置を提供することにある。
【課題を解決するための手段】
【０００６】
本発明に係る通信システムは、複数の通信装置を備える通信システムにおいて、可搬型の情報処理デバイスを備え、一の通信装置は、表示部と、他の通信装置が通信接続するために必要な前記一の通信装置に固有の接続情報を記憶している手段と、該手段が記憶している前記接続情報を図形パターンで表した図形コードを前記表示部に表示することによって、前記接続情報を出力する第１出力手段と、前記表示部の画面上で前記図形コードを表示するべき位置の指定を受け付ける受付手段とを有し、前記第１出力手段は、前記受付手段が前記位置の指定を受け付けた場合に前記図形コードを前記表示部に表示するように構成してあり、前記情報処理デバイスは、第１カメラ部と、前記表示部に表示された図形コードを前記第１カメラ部で読み取ることによって、前記一の通信装置から出力された前記接続情報を取得する第１取得手段と、該第１取得手段が取得した前記接続情報を記憶する手段と、該手段が記憶している前記接続情報を前記他の通信装置へ非接触で出力する第２出力手段とを有し、前記他の通信装置は、前記情報処理デバイスから出力された前記接続情報を取得する第２取得手段と、該第２取得手段が取得した前記接続情報を使用して、前記一の通信装置に通信接続を行う手段とを有することを特徴とする。
【００１０】
本発明に係る通信システムは、前記情報処理デバイスは、表示部を更に有し、前記第２出力手段は、前記接続情報を図形パターンで表した図形コードを前記表示部に表示することによって前記接続情報を出力するように構成してあり、前記他の通信装置は、第２カメラ部を更に有し、前記第２取得手段は、前記情報処理デバイスの表示部に表示された図形コードを前記第２カメラ部で読み取り、読み取った図形コードをデコードすることによって、前記接続情報を取得するように構成してあることを特徴とする。
【００１１】
本発明に係る通信装置は、他の通信装置との通信を行う通信装置において、表示部と、他の通信装置が通信接続するために必要な自己に固有の接続情報を記憶している手段と、該手段が記憶している前記接続情報を図形パターンで表した図形コードを前記表示部に表示することによって、前記接続情報を出力する出力手段と、前記表示部の画面上で前記図形コードを表示するべき位置の指定を受け付ける受付手段と、外部の装置から出力された他の通信装置に固有の接続情報を取得する手段と、該手段が取得した前記接続情報を使用して、前記他の通信装置に通信接続を行う手段とを備え、前記出力手段は、前記受付手段が前記位置の指定を受け付けた場合に前記図形コードを前記表示部に表示するように構成してあることを特徴とする。
【発明の効果】
【００１３】
本発明にあっては、複数の通信装置間の通信接続に必要な接続情報は、一の通信装置から可搬型の情報処理デバイスへ転送され、情報処理デバイスから他の通信装置へ転送されるので、接続情報の入力に必要な手間が低減される。また、使用者は、接続情報に関する知識を有せずとも、通信接続の作業を行うことができる。従って、複数の通信装置の間で通信接続を容易に行うことが可能となる等、本発明は優れた効果を奏する。
【図面の簡単な説明】
【００１４】
【図１】実施の形態１に係る通信システムの構成を示す概念図である。
【図２】実施の形態１に係るＰＣの内部構成を示すブロック図である。
【図３】実施の形態１に係る携帯機器の内部構成を示すブロック図である。
【図４】実施の形態１に係るＰＣが実行する処理の手順を示すフローチャートである。
【図５】実施の形態１に係るＰＣが実行する処理の手順を示すフローチャートである。
【図６】実施の形態１に係るＰＣが実行する処理の手順を示すフローチャートである。
【図７】実施の形態１に係る携帯機器が実行する処理の手順を示すフローチャートである。
【図８】実施の形態２に係る通信システムの構成を示す概念図である。
【図９】ＩＣカードの内部構成を示すブロック図である。
【図１０】実施の形態３に係るＰＣの内部構成を示すブロック図である。
【図１１】実施の形態３に係る携帯機器の内部構成を示すブロック図である。
【図１２】実施の形態３に係るＰＣが実行する処理の手順を示すフローチャートである。
【図１３】実施の形態３に係る携帯機器が実行する処理の手順を示すフローチャートである。
【図１４】実施の形態４に係る画像処理装置の内部構成を示すブロック図である。
【図１５】実施の形態４に係る画像処理装置が実行する処理の手順を示すフローチャートである。
【発明を実施するための形態】
【００１５】
以下本発明をその実施の形態を示す図面に基づき具体的に説明する。
（実施の形態１）
図１は、実施の形態１に係る通信システムの構成を示す概念図である。ＬＡＮ（Local Area Network）等の通信ネットワーク５に、複数のＰＣ１が接続されており、更に、ディスプレイ装置３、及び画像処理装置４が接続されている。画像処理装置４は、スキャナ及び複写機の機能を備えた複合機である。ＰＣ１、ディスプレイ装置３及び画像処理装置４は、本発明における通信装置に対応する。通信ネットワーク５は一部又は全部が無線の通信ネットワークであってもよい。更に、通信システムは、携帯機器２を備えている。携帯機器２は、例えば携帯電話機又はスマートフォンである。携帯機器２は、本発明における可搬型の情報処理デバイスに対応する。通信システムでは、通信装置間で通信接続するために必要な接続情報を、携帯機器２を利用して交換し、交換した接続情報を使用して一の通信装置に他の通信装置から通信接続を行う。
【００１６】
図２は、実施の形態１に係るＰＣ１の内部構成を示すブロック図である。ＰＣ１は、演算を行うＣＰＵ（Central Processing Unit ）１１と、演算に伴って発生する一時的な情報を記憶するＲＡＭ（Random Access Memory）１２と、ハードディスク等の記憶部１３とを備えている。記憶部１３はコンピュータプログラムを記憶しており、コンピュータプログラムは必要に応じて記憶部１３からＲＡＭ１２へロードされ、ＣＰＵ１１は、ロードされたコンピュータプログラムに基づいてＰＣ１に必要な処理を実行する。また、ＰＣ１は、使用者からの操作を受け付けるキーボード等の操作部１４と、液晶パネル等の表示デバイスを用いて画像を表示する表示部１５と、通信ネットワーク５を介した通信を行う通信部１７とを備えている。また、ＰＣ１は、ＮＦＣ（近距離無線通信）により無線通信を行うＮＦＣ部１６を備えている。ＮＦＣ部１６は、ＮＦＣ用のアンテナ及び信号処理部を含んでいる。ＰＣ１は、ＮＦＣ部１６でＮＦＣによる携帯機器２との間のデータの送受信を行う。例えば、ＮＦＣ部１６は、ＮＦＣを利用したデータのリーダライタである。
【００１７】
記憶部１３は、他の通信装置からＰＣ１へ通信接続するために必要なＰＣ１に固有の接続情報を記憶している。接続情報は、例えば、ＰＣ１のＩＰアドレス、ＰＣ１のコンピュータ名、他の通信装置からアクセスされるように記憶部１３に設定されているフォルダのフォルダ名、及びパスワードである。また、記憶部１３は、携帯機器２との間でＮＦＣによる通信を行う際に携帯機器２を認証するために必要な携帯機器２に固有の認証情報を記憶している。認証情報は、例えばＩＤ及びパスワードである。
【００１８】
図３は、実施の形態１に係る携帯機器２の内部構成を示すブロック図である。携帯機器２は、演算を行う演算部、演算に伴う情報を記憶するＲＡＭ、演算に必要なプログラムを記憶するメモリ等からなり、携帯機器２に必要な情報処理を実行する処理部２１を備えている。処理部２１は、複数の部品で構成されていてもよい。また、携帯機器２は、情報を記憶する記憶部２２と、タッチパネル又はテンキー等の使用者からの入力指示を受け付ける操作部２４と、液晶パネル等の表示デバイスを用いて画像を表示する表示部２５とを備えている。更に、携帯機器２は、ＮＦＣにより無線通信を行うＮＦＣ部２３を備えている。ＮＦＣ部２３は、ＮＦＣ用のアンテナ及び信号処理部を含んでいる。記憶部２２は、ＮＦＣにより通信装置と通信を行うために必要な携帯機器２に固有の認証情報を記憶している。
【００１９】
図４、図５及び図６は、実施の形態１に係るＰＣ１が実行する処理の手順を示すフローチャートであり、図７は、実施の形態１に係る携帯機器２が実行する処理の手順を示すフローチャートである。ＰＣ１のＮＦＣ部１６は、随時、ＮＦＣによる携帯機器２との通信の試行を行い、通信が可能になったことにより携帯機器２を検出したか否かを判定する（Ｓ１０１）。使用者が携帯機器２をＰＣ１のＮＦＣ部１６に近接させた場合に、ＮＦＣ部１６は携帯機器２を検出する。携帯機器２では、ＮＦＣ部２３は、通信が行われることによるＮＦＣの信号の検出を待ちうける（Ｓ４１）。ＮＦＣの信号の検出が無い場合は（Ｓ４１：ＮＯ）、ＮＦＣ部２３は、ＮＦＣの信号の検出の待ち受けを続行する。ＮＦＣ部１６が携帯機器２を検出できない場合は（Ｓ１０１：ＮＯ）、ＣＰＵ１１は、外部の他の通信装置からの通信接続の要求があるか否かを判定する（Ｓ１０２）。外部の他の通信装置は、他のＰＣ１、ディスプレイ装置３又は画像処理装置４である。通信接続の要求は、通信部１７で受信される。通信接続の要求が無い場合は（Ｓ１０２：ＮＯ）、ＣＰＵ１１は、処理をＳ１０１へ戻す。
【００２０】
Ｓ１０１で携帯機器２を検出した場合は（Ｓ１０１：ＹＥＳ）、ＣＰＵ１１は、検出した携帯機器２に対して認証情報を要求する（Ｓ１０３）。Ｓ１０３では、ＣＰＵ１１は、ＮＦＣ部１６を介して認証情報の要求を携帯機器２へ送信する。携帯機器２では、ＮＦＣの信号を検出した場合に（Ｓ４１：ＹＥＳ）、ＰＣ１からの認証情報の要求をＮＦＣ部２３で待ちうける（Ｓ４２）。認証情報の要求を受信しない場合は（Ｓ４２：ＮＯ）、処理部２１は処理を終了する。認証情報の要求を受信した場合は（Ｓ４２：ＹＥＳ）、処理部２１は、記憶部２２に携帯機器２に固有の認証情報を記憶しているか否かを判定する（Ｓ４３）。認証情報を記憶していない場合は（Ｓ４３：ＮＯ）、処理部２１は処理を終了する。認証情報を記憶している場合は（Ｓ４３：ＹＥＳ）、処理部２１は、記憶部２２に記憶している認証情報を読み出し、ＮＦＣ部２３を介して認証情報をＰＣ１へ送信する（Ｓ４４）。
【００２１】
ＰＣ１は、携帯機器２からの認証情報をＮＦＣ部１６で待ち受け（Ｓ１０４）、認証情報の受信が無い場合は（Ｓ１０４：ＮＯ）、ＣＰＵ１１は処理を終了する。携帯機器２からの認証情報をＮＦＣ部１６で受信した場合は（Ｓ１０４：ＹＥＳ）、ＣＰＵ１１は、記憶部１３に記憶している認証情報と受信した認証情報とを比較し、受信した認証情報が正当な認証情報であるか否かを判定する（Ｓ１０５）。受信した認証情報が正当でない場合は（Ｓ１０５：ＮＯ）、ＣＰＵ１１は、表示部１５に認証エラーを示す情報を表示させ（Ｓ１０６）、処理を終了する。受信した認証情報が正当である場合は（Ｓ１０５：ＹＥＳ）、ＣＰＵ１１は、携帯機器２に対して、他の通信装置へ通信接続するために必要な接続情報を要求する（Ｓ１０７）。Ｓ１０７では、ＣＰＵ１１は、ＮＦＣ部１６を介して接続情報の要求を携帯機器２へ送信する。
【００２２】
ＰＣ１は、携帯機器２からの接続情報をＮＦＣ部１６で待ち受け（Ｓ１０８）、接続情報の受信が無い場合は（Ｓ１０８：ＮＯ）、ＰＣ１に固有の接続情報の携帯機器２への送信の許可を使用者に求める内容を示す操作メニューを表示部１５に表示する（Ｓ１０９）。操作メニューを視認した使用者は、操作部１４を操作して、送信の許可又は不許可の指示を入力する。ＰＣ１は、送信の許可の指示の受け付けを操作部１４で待ち受け（Ｓ１１０）、送信の不許可の指示を受け付けた場合は（Ｓ１１０：ＮＯ）、ＣＰＵ１１は処理を終了する。接続情報の送信の許可の指示を操作部１４で受け付けた場合は（Ｓ１１０：ＹＥＳ）、ＣＰＵ１１は、ＰＣ１に固有の接続情報を記憶部１３から読み出し、ＮＦＣ部１６を介して携帯機器２へ接続情報を送信し（Ｓ１１１）、処理を終了する。
【００２３】
携帯機器２は、Ｓ４４の後に、ＰＣ１からの接続情報の要求をＮＦＣ部２３で待ちうける（Ｓ４５）。接続情報の要求を受信した場合は（Ｓ４５：ＹＥＳ）、処理部２１は、通信相手のＰＣ１とは別の通信装置に固有の接続情報を記憶部２２で記憶しているか否かを判定する（Ｓ４６）。接続情報の要求が無い場合（Ｓ４５：ＮＯ）、又は接続情報を記憶していない場合は（Ｓ４６：ＮＯ）、処理部２１は、ＰＣ１から送信された接続情報のＮＦＣ部２３での受信を待ちうける（Ｓ４８）。接続情報の受信が無い場合は（Ｓ４８：ＮＯ）、処理部２１は処理を終了する。接続情報を受信した場合は（Ｓ４８：ＹＥＳ）、処理部２１は、受信した接続情報を記憶部２２に記憶させ（Ｓ４９）、処理を終了する。Ｓ４６で通信相手のＰＣ１とは別の通信装置に固有の接続情報を記憶部２２で記憶している場合（Ｓ４６：ＹＥＳ）、処理部２１は、記憶部２２から接続情報を読み出し、ＮＦＣ部２３を介してＰＣ１へ接続情報を送信し（Ｓ４７）、処理を終了する。なお、処理部２１は、送信した接続情報を記憶部２２から消去してもよい。
【００２４】
ＰＣ１では、Ｓ１０２で外部の他の通信装置からの通信接続の要求があった場合（Ｓ１０２：ＹＥＳ）、ＣＰＵ１１は、通信部１７に通信接続を要求した他の通信装置へ通信接続に必要なパスワードの要求を送信させる（Ｓ２１）。他の通信装置は、パスワードの要求に応じてパスワードを送信し、ＰＣ１は、パスワードを通信部１７で受信する。ＣＰＵ１１は、次に、受信したパスワードと記憶部１３に記憶している固有の接続情報に含まれるパスワードとを比較し、受信したパスワードが正当なパスワードであるか否かを判定する（Ｓ２２）。受信したパスワードが正当なパスワードである場合は（Ｓ２２：ＹＥＳ）、ＣＰＵ１１は、他の通信装置からの通信接続を許可し（Ｓ２３）、処理を終了する。Ｓ２３では、ＣＰＵ１１は、通信接続の許可を示す情報を通信部１７に他の通信装置へ送信させる。以降は、ＰＣ１と他の通信装置との間で通信接続が行われ、データの送受信及び送受信されたデータを利用した各種の処理が実行される。Ｓ２２でパスワードが正当ではない場合は（Ｓ２２：ＮＯ）、ＣＰＵ１１は、他の通信装置からの通信接続を不許可とし（Ｓ２４）、処理を終了する。Ｓ２４では、ＣＰＵ１１は、通信接続の不許可を示す情報を通信部１７に他の通信装置へ送信させる。
【００２５】
Ｓ１０８で携帯機器２から接続情報をＮＦＣ部１６で受信した場合（Ｓ１０８：ＹＥＳ）、ＣＰＵ１１は、取得した接続情報が正常であるか否かを判定する（Ｓ３１）。取得した接続情報は、他の通信装置に固有の情報である。Ｓ３１では、ＣＰＵ１１は、接続情報に含まれるＩＰアドレスが所定の範囲に収まっているか、又は異常の根拠となる予め定められている情報が接続情報に含まれているか等、所定のルールに従った判定を行う。接続情報が正常でない場合は（Ｓ３１：ＮＯ）、ＣＰＵ１１は、接続情報のエラーを示す情報を表示部１５に表示させ（Ｓ３２）、処理を終了する。接続情報が正常である場合（Ｓ３１：ＹＥＳ）、ＣＰＵ１１は、取得した接続情報を記憶部１３に記憶させ、取得した接続情報を用いた他の通信装置への通信接続の許可を使用者に求める内容を示す操作メニューを表示部１５に表示する（Ｓ３３）。使用者は、操作部１４を操作して、通信接続の許可又は不許可の指示を入力する。ＰＣ１は、通信接続の許可の指示の受け付けを操作部１４で待ち受け（Ｓ３４）、通信接続の不許可の指示を受け付けた場合は（Ｓ３４：ＮＯ）、ＣＰＵ１１は処理を終了する。通信接続の許可の指示を操作部１４で受け付けた場合は（Ｓ３４：ＹＥＳ）、ＣＰＵ１１は、接続情報を用いて通信接続を開始する（Ｓ３５）。Ｓ３５では、例えば、ＣＰＵ１１は、通信部１７を用いて、接続情報に含まれるＩＰアドレスで指定される通信装置へ通信ネットワーク５を介してアクセスする。ＣＰＵ１１は、次に、通信接続先の通信装置からパスワードの要求を待ち受ける（Ｓ３６）。パスワードの要求は通信部１７で受信される。パスワードの要求の通信部１７での受信がない場合は（Ｓ３６：ＮＯ）、ＣＰＵ１１は、パスワードの要求の待ち受けを続行する。パスワードの要求を通信部１７で受信した場合は（Ｓ３６：ＹＥＳ）、ＣＰＵ１１は、通信接続先の通信装置に固有の接続情報に含まれるパスワードを通信部１７に通信接続先の通信装置へ送信させ（Ｓ３７）、処理を終了する。以降は、ＰＣ１と他の通信装置との間でデータの送受信が行われ、送受信されたデータを利用した各種の処理が実行される。
【００２６】
以上の処理は、通信接続を行う複数の通信装置において、夫々に実行される。使用者が携帯機器２を第１の通信装置に近接させ、第１の通信装置は、固有の接続情報を携帯機器２へＮＦＣを用いて出力し、携帯機器２は接続情報を取得する。また、使用者は、接続情報を取得した携帯機器２を、第１の通信装置へ通信接続を行う予定の第２の通信装置に近接させる。携帯機器２は、第１の通信装置に固有の接続情報をＮＦＣを用いて出力し、第２の通信装置は、ＮＦＣにより接続情報を取得する。第２の通信装置は、取得した接続情報を用いて第１の通信装置へ通信接続する。このようにして、第１の通信装置に固有の接続情報が、携帯機器２を介して第１の通信装置から第２の通信装置へ転送され、第１の通信装置と第２の通信装置との間で通信接続が可能となる。例えば、二つのＰＣ１の間で通信ネットワーク５を介したデータの交換が行われる。二つの通信装置の一方が通信装置ディスプレイ装置３又は画像処理装置４である場合でも、同様の処理が行われる。ディスプレイ装置３及び画像処理装置４は、ＮＦＣにより無線通信を行う機能を備えており、同様に携帯機器２を介して接続情報を他の通信装置と交換し、他の通信装置との間で通信接続を行う。例えば、ＰＣ１とディスプレイ装置３との間で通信接続が行われ、ＰＣ１はディスプレイ装置３に所望の画像を表示させることができる。また例えば、ＰＣ１と画像処理装置４との間で通信接続が行われ、ＰＣ１は、画像処理装置４に所望の画像を形成させる処理又は画像処理装置４に記憶されるデータを読み出す処理を行う。また、三つ以上の通信装置が夫々に処理を実行し、一の通信装置と他の複数の通信装置との間で通信接続を行うこと、又は三つ以上の通信装置が互いに通信接続を行うことも可能である。
【００２７】
以上詳述した如く、本実施の形態においては、携帯機器２を介して複数の通信装置の間で接続情報が転送され、複数の通信装置の間で接続情報を利用した通信接続が行われる。接続情報はＮＦＣを用いて一方の通信装置から携帯機器２へ転送され、更にＮＦＣを用いて携帯機器２から他方の通信装置へ転送されるので、使用者が手作業で接続情報を通信装置に入力する方法に比べて、使用者に必要な手間が低減される。また、使用者が携帯機器２を通信装置に近接させるだけで接続情報の転送が行われるので、使用者は、接続情報に関する知識を有せずとも、通信接続の作業を行うことができる。従って、複数の通信装置の間で通信接続を容易に行うことが可能となる。
【００２８】
（実施の形態２）
本実施の形態においては、可搬型の情報処理デバイスとしてＩＣ（Integrated Circuit）カードを用いた形態を示す。図８は、実施の形態２に係る通信システムの構成を示す概念図である。通信システムは、実施の形態１に係る通信システムでの携帯機器２をＩＣカード６に置き換えた構成となっている。ＩＣカード６以外の通信システムの構成は実施の形態１と同様である。
【００２９】
図９は、ＩＣカード６の内部構成を示すブロック図である。ＩＣカード６は、演算を行う演算部、演算に伴う情報を記憶するＲＡＭ、演算に必要なプログラムを記憶するメモリ等からなり、ＩＣカード６に必要な情報処理を実行する処理部６１を備えている。また、ＩＣカード６は、情報を記憶する記憶部６２と、ＮＦＣにより無線通信を行うＮＦＣ部６３を備えている。ＮＦＣ部６３は、ＮＦＣ用のアンテナ及び信号処理部を含んでいる。記憶部６２は、ＮＦＣにより通信装置と通信を行うために必要なＩＣカード６に固有の認証情報を記憶している。
【００３０】
ＩＣカード６は、実施の形態１における携帯機器２と同様の処理を実行し、ＰＣ１等の通信装置は、実施の形態１と同様の処理を実行する。本実施の形態においては、使用者がＩＣカード６を第１の通信装置に近接させ、第１の通信装置は、固有の接続情報をＩＣカード６へＮＦＣを用いて出力し、ＩＣカード６は接続情報を取得する。また、使用者は、接続情報を取得したＩＣカード６を、第２の通信装置に近接させる。ＩＣカード６は、第１の通信装置に固有の接続情報をＮＦＣを用いて出力し、第２の通信装置は、ＮＦＣにより接続情報を取得する。第２の通信装置は、取得した接続情報を用いて第１の通信装置へ通信接続する。このようにして、第１の通信装置に固有の接続情報が、ＩＣカード６を介して第１の通信装置から第２の通信装置へ転送され、複数の通信装置の間で通信接続が可能となる。本実施の形態においても、接続情報はＮＦＣを用いて転送されるので、使用者に必要な手間が低減される。また、同様に、使用者は、接続情報に関する知識を有せずとも、通信接続の作業を行うことができる。従って、複数の通信装置の間で通信接続を容易に行うことが可能となる。
【００３１】
（実施の形態３）
実施の形態３においては、接続情報を図形パターンで表した一次元バーコード又は二次元コード等の図形コードを表示することによって、通信装置間の通信接続に必要な接続情報を出力する形態を示す。実施の形態３に係る通信システムの構成は、実施の形態１と同様である。図１０は、実施の形態３に係るＰＣ１の内部構成を示すブロック図である。ＰＣ１は、ＣＰＵ１１と、ＲＡＭ１２と、記憶部１３と、操作部１４と、表示部１５と、通信部１７とを備えている。操作部１４は、表示部１５と組み合わさったタッチパネルを含んでいてもよい。更に、ＰＣ１は、外部を撮影するカメラ部１８を備えている。図１１は、実施の形態３に係る携帯機器２の内部構成を示すブロック図である。携帯機器２は、処理部２１と、記憶部２２と、操作部２４と、表示部２５とを備えている。操作部２４は、タッチパネルを含んでいてもよい。更に、携帯機器２は、外部を撮影するカメラ部２６を備えている。
【００３２】
図１２は、実施の形態３に係るＰＣ１が実行する処理の手順を示すフローチャートであり、図１３は、実施の形態３に係る携帯機器２が実行する処理の手順を示すフローチャートである。ＰＣ１は、接続情報を図形パターンで表した図形コードの表示指示を待ち受ける（Ｓ５０１）。図形コードの表示指示は、使用者が操作部１４を操作することによって入力され、ＰＣ１は操作部１４で受け付ける。図形コードの表示指示を操作部１４で受け付けた場合は（Ｓ５０１：ＹＥＳ）、ＣＰＵ１１は、ＰＣ１に固有の接続情報を記憶部１３から読み出し、接続情報を図形パターンで表した一次元バーコード又は二次元コード等の図形コードを生成する（Ｓ５０２）。ＰＣ１は、次に、表示部１５の画面上で図形コードを表示するべき位置の指定を待ち受ける（Ｓ５０３）。位置の指定は、使用者が操作部１４を操作することによって入力し、ＰＣ１は操作部１４で受け付ける。操作部１４がタッチパネルを含んでいる場合、使用者がタッチパネルの特定の位置に接触することにより、位置の指定が行われる。位置の指定がない場合は（Ｓ５０３：ＮＯ）、ＣＰＵ１１は、位置の指定の待ち受けを続行する。位置の指定を操作部１４で受け付けた場合は（Ｓ５０３：ＹＥＳ）、ＣＰＵ１１は、表示部１５に図形コードを表示させる（Ｓ５０４）。なお、ＰＣ１は、Ｓ５０３の処理を省略し、表示部１５の画面上の所定位置に図形コードを表示する処理を行ってもよい。
【００３３】
携帯機器２は、図形コードの読み取りの指示を待ち受ける（Ｓ６０１）。図形コードの読み取りの指示は、使用者が操作部２４を操作することによって入力され、携帯機器２は操作部２４で受け付ける。図形コードの読み取りの指示を操作部２４で受け付けた場合は（Ｓ６０１：ＹＥＳ）、処理部２１は、カメラ部２６に、ＰＣ１の表示部１５に表示された図形コードを読み取らせる（Ｓ６０２）。処理部２１は、図形コードの読み取りに成功したか否かを判定し（Ｓ６０３）、読み取りに成功しなかった場合は（Ｓ６０３：ＮＯ）、処理をＳ６０２へ戻す。読み取りに成功した場合は（Ｓ６０３：ＹＥＳ）、処理部２１は、カメラ部２６で読み取った図形コードをデコードする（Ｓ６０４）。Ｓ６０４で図形コードをデコードすることにより、携帯機器２はＰＣ１に固有の接続情報を取得する。処理部２１は、次に、取得した接続情報を記憶部２２に記憶させ（Ｓ６０５）、処理を終了する。
【００３４】
ＰＣ１では、ＣＰＵ１１は、図形コードの消去の指示を待ち受ける（Ｓ５０５）。図形コードの消去の指示は、使用者が操作部１４を操作することによって入力し、ＰＣ１は操作部１４で受け付ける。図形コードの消去指示の受け付けが無い場合は（Ｓ５０５：ＮＯ）、ＣＰＵ１１は、図形コード消去の指示の待ち受けを続行する。図形コードの消去の指示を操作部１４で受け付けた場合は（Ｓ５０５：ＹＥＳ）、ＣＰＵ１１は、表示部１５に表示した図形コードを消去させ（Ｓ５０６）、処理を終了する。
【００３５】
Ｓ５０１で図形コードの表示指示の受け付けが無い場合は（Ｓ５０１：ＮＯ）、ＣＰＵ１１は、使用者が操作部１４を操作することによる図形コードの読み取りの指示を待ち受ける（Ｓ５０７）。図形コードの読み取りの指示の受け付けが無い場合は（Ｓ５０７：ＮＯ）、ＣＰＵ１１は、外部の他の通信装置からの通信接続の要求があるか否かを判定する（Ｓ５１１）。通信接続の要求が無い場合は（Ｓ５１１：ＮＯ）、ＣＰＵ１１は、処理をＳ５０１へ戻す。外部の他の通信装置から通信接続の要求があった場合（Ｓ５１１：ＹＥＳ）、ＣＰＵ１１は、実施の形態１と同様にＳ２１〜Ｓ２４の処理を実行する。
【００３６】
携帯機器２では、Ｓ６０１で図形コードの読み取りの指示の受け付けが無い場合は（Ｓ６０１：ＮＯ）、処理部２１は、通信装置に固有の接続情報を図形パターンで表した図形コード表示指示を待ち受ける（Ｓ６０６）。図形コードの表示指示は、使用者が操作部２４を操作することによって入力され、携帯機器２は操作部２４で受け付ける。図形コードの表示指示の受け付けが無い場合は（Ｓ６０６：ＮＯ）、処理部２１は処理をＳ６０１へ戻す。図形コードの表示指示を操作部２４で受け付けた場合は（Ｓ６０６：ＹＥＳ）、処理部２１は、通信装置に固有の接続情報を記憶部２２で記憶しているか否かを判定する（Ｓ６０７）。接続情報を記憶していない場合は（Ｓ６０７：ＮＯ）、処理部２１は処理を終了する。接続情報を記憶している場合は（Ｓ６０７：ＹＥＳ）、処理部２１は、記憶部２２に記憶している接続情報を図形パターンで表した一次元バーコード又は二次元コード等の図形コードを生成し（Ｓ６０８）、図形コードを表示部２５に表示させる（Ｓ６０９）。
【００３７】
ＰＣ１では、図形コードの読み取りの指示を受け付けた場合に（Ｓ５０７：ＹＥＳ）、ＣＰＵ１１は、カメラ部１８に、携帯機器２の表示部２５に表示された図形コードを読み取らせる（Ｓ５０８）。ＣＰＵ１１は、図形コードの読み取りに成功したか否かを判定し（Ｓ５０９）、読み取りに成功しなかった場合は（Ｓ５０９：ＮＯ）、処理をＳ５０８へ戻す。読み取りに成功した場合は（Ｓ５０９：ＹＥＳ）、処理部２１は、カメラ部１８で読み取った図形コードをデコードする（Ｓ５１０）。Ｓ５１０で図形コードをデコードすることにより、ＰＣ１は他の通信装置に固有の接続情報を取得する。ＣＰＵ１１は、次に、実施の形態１と同様にＳ３１〜Ｓ３７の処理を実行する。
【００３８】
携帯機器２では、使用者が操作部２４を操作することによる図形コードの消去の指示を待ち受ける（Ｓ６１０）。図形コードの消去指示の受け付けが無い場合は（Ｓ６１０：ＮＯ）、処理部２１は、図形コード消去の指示の待ち受けを続行する。図形コードの消去の指示を操作部２４で受け付けた場合は（Ｓ６１０：ＹＥＳ）、処理部２１は、表示部２５に表示した図形コードを消去させ（Ｓ６１１）、処理を終了する。なお、処理部２１は、図形コードの形で出力した接続情報を記憶部２２から消去してもよい。
【００３９】
以上の処理は、通信接続を行う複数の通信装置において、夫々に実行される。使用者が第１の通信装置の表示部に携帯機器２を近接させ、表示部に表示された図形コードを携帯機器２が読み取ることで、第１の通信装置に固有の接続情報を携帯機器２が取得する。また、使用者は、接続情報を取得した携帯機器２の教示部に第２の通信装置のカメラ部を近接させ、携帯機器２の教示部に表示された図形コードを第２の通信装置が読み取ることで、第２の通信装置は、第１の通信装置に通信接続するための接続情報を取得する。このように、本実施の形態においても、第１の通信装置に固有の接続情報が、携帯機器２を介して第１の通信装置から第２の通信装置へ転送され、第１の通信装置と第２の通信装置との間で通信接続が可能となる。通信装置の一つが通信装置ディスプレイ装置３又は画像処理装置４である場合でも、同様の処理が行われる。ディスプレイ装置３及び画像処理装置４は、表示部及びカメラ部を備えており、同様に携帯機器２を介して接続情報を他の通信装置と交換し、他の通信装置との間で通信接続を行う。
【００４０】
以上詳述した如く、本実施の形態においても、携帯機器２を介して複数の通信装置の間で接続情報が転送され、複数の通信装置の間で接続情報を利用した通信接続が行われる。接続情報は図形コードの表示及び読み取りにより一方の通信装置から携帯機器２へ転送され、更に携帯機器２から他方の通信装置へ転送されるので、使用者が手作業で接続情報を通信装置に入力する方法に比べて、使用者に必要な手間が低減される。また、使用者は、接続情報に関する知識を有せずとも、通信接続の作業を行うことができる。従って、複数の通信装置の間で通信接続を容易に行うことが可能となる。
【００４１】
なお、本発明の通信システムは、実施の形態１及び２を組み合わせた形態であってもよい。例えば、通信システムは、ＮＦＣを用いて通信装置から携帯機器２へ接続情報を転送し、図形コードの表示および読み取りにより携帯機器２から通信装置へ接続情報を転送する形態であってもよい。また、例えば、通信システムは、図形コードの表示および読み取りにより通信装置から携帯機器２へ接続情報を転送し、ＮＦＣを用いて携帯機器２から通信装置へ接続情報を転送する形態であってもよい。また、以上の実施の形態１〜３には、通信システムにＰＣ１、ディスプレイ装置３及び画像処理装置４が含まれている形態を示したが、通信システムは、これに限るものでは無い。通信システムは、複数の通信装置が含まれていればよく、ディスプレイ装置３又は画像処理装置４が含まれていなくてもよい。
【００４２】
（実施の形態４）
実施の形態４においては、画像処理装置４で図形パターンを記録することによって、通信装置間の通信接続に必要な接続情報を出力する形態を示す。実施の形態４に係る通信システムの構成は、実施の形態１と同様である。ＰＣ１及び携帯機器２の構成は実施の形態３と同様である。図１４は、実施の形態４に係る画像処理装置４の内部構成を示すブロック図である。画像処理装置４は、各部の動作を制御する制御部４１と、データを記憶する記憶部４２と、使用者からの操作を受け付ける操作部４４と、画像を表示する表示部４５と、外部を撮影するカメラ部４６と、通信ネットワーク５を介した通信を行う通信部４７とを備えている。制御部４１は、演算を行うプロセッサと、演算に必要なプログラム、各種のデータ及び演算に伴う一時的な情報を記憶するメモリとを含んで構成されている。記憶部４２は、画像処理装置４に固有の接続情報を記憶している。また、画像処理装置４は、画像処理を行う画像処理部４３と、画像を光学的に読み取る読取部４８と、画像を記録用シートに記録する画像記録部４９とを備えている。
【００４３】
図１５は、実施の形態４に係る画像処理装置４が実行する処理の手順を示すフローチャートである。制御部４１は、接続情報を図形パターンで表した図形コードの記録指示を待ち受ける（Ｓ７１）。図形コードの記録指示は、使用者が操作部４４を操作することによって入力され、画像処理装置４は操作部４４で受け付ける。図形コードの記録指示を操作部４４で受け付けた場合は（Ｓ７１：ＹＥＳ）、制御部４１は、画像処理装置４に固有の接続情報を記憶部４２から読み出し、画像処理部４３に、接続情報を図形パターンで表した図形コードを生成させる（Ｓ７２）。制御部４１は、次に、生成した図形コードを画像記録部４９で記録用シートに記録させ（Ｓ７３）、処理を終了する。他の通信装置は、記録された図形コードを用いて画像処理装置４に固有の接続情報を取得する。例えば、使用者は、記録用シートに記録された図形コードをＰＣ１に読み取らせ、ＰＣ１は、読み取った図形コードをデコードすることによって接続情報を取得する。
【００４４】
Ｓ７１で図形コードの記録指示の受け付けが無い場合は（Ｓ７１：ＮＯ）、画像処理装置４１は、使用者が操作部１４を操作することによる図形コードの読み取りの指示を待ち受ける（Ｓ７４）。図形コードの読み取りの指示の受け付けが無い場合は（Ｓ７４：ＮＯ）、制御部４１は、外部の他の通信装置からの通信接続の要求があるか否かを判定する（Ｓ７８）。通信接続の要求が無い場合は（Ｓ７８：ＮＯ）、制御部４１は、処理をＳ７１へ戻す。外部の他の通信装置から通信接続の要求があった場合（Ｓ７８：ＹＥＳ）、制御部４１は、実施の形態１でのＳ２１〜Ｓ２４の処理と同様の処理を実行する。
【００４５】
実施の形態３と同様に、ＰＣ１等の他の通信装置は、図形コードを表示することによって接続情報を出力し、携帯機器２は、図形コードを読み取ってデコードすることによって接続情報を取得する。また、携帯機器２は、接続情報を図形パターンで表した図形コードを表示部２５に表示する。画像処理装置４では、図形コードの読み取りの指示を受け付けた場合（Ｓ７４：ＹＥＳ）、制御部４１は、カメラ部４６に、携帯機器２の表示部２５に表示された図形コードを読み取らせる（Ｓ７５）。制御部４１は、図形コードの読み取りに成功したか否かを判定し（Ｓ７６）、読み取りに成功しなかった場合は（Ｓ７６：ＮＯ）、処理をＳ７５へ戻す。読み取りに成功した場合は（Ｓ７６：ＹＥＳ）、処理部２１は、カメラ部４６で読み取った図形コードをデコードする（Ｓ７７）。Ｓ７７で図形コードをデコードすることにより、画像処理装置４は他の通信装置に固有の接続情報を取得する。制御部４１は、次に、実施の形態１でのＳ３１〜Ｓ３７の処理と同様の処理を実行する。
【００４６】
以上の処理を行うことにより、画像処理装置４と他の通信装置との間で接続情報が転送され、通信装置は、画像処理装置４に対して通信接続を行うことができる。例えば、ＰＣ１と画像処理装置４との間で通信接続が行われ、ＰＣ１は、画像処理装置４に所望の画像を形成させる処理又は画像処理装置４に記憶されるデータを読み出す処理を行う。このように、本実施の形態においても、複数の通信装置の間で接続情報が転送され、複数の通信装置の間で接続情報を利用した通信接続が行われる。接続情報は図形コードの記録及び読み取りにより一方の通信装置から他方の通信装置へ転送されるので、使用者が手作業で接続情報を通信装置に入力する方法に比べて、使用者に必要な手間が低減される。また、使用者は、接続情報に関する知識を有せずとも、通信接続の作業を行うことができる。従って、複数の通信装置の間で通信接続を容易に行うことが可能となる。
【００４７】
なお、通信システムは、ＰＣ１又はディスプレイ装置３でも画像記録部を備え、図形コードを記録用シートに記録することによって接続情報を出力する形態であってもよい。この形態では、画像処理装置４は、記録用シートに記録された図形コードを読取部４８で読み取り、読みとった図形コードをデコードすることによって、接続情報を取得する処理を行ってもよい。
【００４８】
以上の実施の形態１〜４では、画像処理装置４が複合機であるとしたが、画像処理装置４は、画像を記録する機能を有するものであれば、複合機に限るものではない。例えば、画像処理装置４はプリンタであってもよい。また、実施の形態１〜４では、通信装置の例としてＰＣ１、ディスプレイ装置３及び画像処理装置４を示したが、本発明に係る通信装置はその他の装置であってもよい。
【００４９】
以上のように、本発明に係る通信システムは、複数の通信装置（１、３、４）を備える通信システムにおいて、可搬型の情報処理デバイス（２、６）を備え、一の通信装置（１、３、４）は、他の通信装置（１、３、４）が通信接続するために必要な前記一の通信装置（１、３、４）に固有の接続情報を記憶している手段と、該手段が記憶している前記接続情報を前記情報処理デバイス（２、６）へ非接触で出力する第１出力手段とを有し、前記情報処理デバイス（２、６）は、前記一の通信装置（１、３、４）から出力された前記接続情報を取得する第１取得手段と、該第１取得手段が取得した前記接続情報を記憶する手段と、該手段が記憶している前記接続情報を前記他の通信装置（１、３、４）へ非接触で出力する第２出力手段とを有し、前記他の通信装置（１、３、４）は、前記情報処理デバイス（２、６）から出力された前記接続情報を取得する第２取得手段と、該第２取得手段が取得した前記接続情報を使用して、前記一の通信装置（１、３、４）に通信接続を行う手段とを有することを特徴とする。
【００５０】
本発明に係る通信システムは、前記第１出力手段は、近距離無線通信により前記接続情報を前記情報処理デバイス（２、６）へ送信することによって前記接続情報を出力するように構成してあり、前記第１取得手段は、近距離無線通信により前記接続情報を前記一の通信装置（１、３、４）から受信することによって前記接続情報を取得するように構成してあることを特徴とする。
【００５１】
本発明に係る通信システムは、前記一の通信装置（１、３、４）は、表示部（１５）を更に有し、前記第１出力手段は、前記接続情報を図形パターンで表した図形コードを前記表示部（１５）に表示することによって前記接続情報を出力するように構成してあり、前記情報処理デバイス（２）は、カメラ部（２６）を更に有し、前記第１取得手段は、前記表示部（１５）に表示された図形コードを前記カメラ部（２６）で読み取り、読み取った図形コードをデコードすることによって、前記接続情報を取得するように構成してあることを特徴とする。
【００５２】
本発明に係る通信システムは、前記第２出力手段は、近距離無線通信により前記接続情報を前記他の通信装置（１、３、４）へ送信することによって前記接続情報を出力するように構成してあり、前記第２取得手段は、近距離無線通信により前記接続情報を前記情報処理デバイス（２、６）から受信することによって前記接続情報を取得するように構成してあることを特徴とする。
【００５３】
本発明に係る通信システムは、前記情報処理デバイス（２）は、表示部（２５）を更に有し、前記第２出力手段は、前記接続情報を図形パターンで表した図形コードを前記表示部（２５）に表示することによって前記接続情報を出力するように構成してあり、前記他の通信装置（１、３、４）は、カメラ部（１８、４６）を更に有し、前記第２取得手段は、前記情報処理デバイス（２）の表示部（２５）に表示された図形コードを前記カメラ部（１８、４６）で読み取り、読み取った図形コードをデコードすることによって、前記接続情報を取得するように構成してあることを特徴とする。
【００５４】
本発明に係る通信装置は、他の通信装置（１、３、４）との通信を行う通信装置（１、３、４）において、他の通信装置（１、３、４）が通信接続するために必要な自己に固有の接続情報を記憶している手段と、該手段が記憶している前記接続情報を外部の可搬型の情報処理デバイス（２、６）へ非接触で出力する手段と、前記情報処理デバイス（２、６）から出力された他の通信装置（１、３、４）に固有の接続情報を取得する手段と、該手段が取得した前記接続情報を使用して、前記他の通信装置（１、３、４）に通信接続を行う手段とを備えることを特徴とする。
【００５５】
本発明に係る通信接続方法は、複数の通信装置（１、３、４）の間で通信接続を行う方法において、可搬型の情報処理デバイス（２、６）を用い、前記一の通信装置（１、３、４）は、他の通信装置（１、３、４）が通信接続するために必要な前記一の通信装置（１、３、４）に固有の接続情報を前記情報処理デバイス（２、６）へ非接触で出力し、前記情報処理デバイス（２、６）は、前記一の通信装置（１、３、４）から出力された前記接続情報を取得し、取得した前記接続情報を記憶し、記憶している前記接続情報を前記他の通信装置（１、３、４）へ非接触で出力し、前記他の通信装置（１、３、４）は、前記情報処理デバイス（２、６）から出力された前記接続情報を取得し、取得した前記接続情報を使用して、前記一の通信装置（１、３、４）に通信接続を行うことを特徴とする。
【００５６】
本発明においては、通信システムは複数の通信装置（１、３、４）と可搬型の情報処理デバイス（２、６）とを備える。使用者が情報処理デバイス（２、６）を一の通信装置（１、３、４）に近接させ、一の通信装置（１、３、４）は、固有の接続情報を情報処理デバイス（２、６）へ出力し、情報処理デバイス（２、６）は接続情報を取得する。また、使用者は、接続情報を取得した情報処理デバイス（２、６）を他の通信装置（１、３、４）に近接させる。情報処理デバイス（２、６）は、一の通信装置（１、３、４）に固有の接続情報を出力し、他の通信装置（１、３、４）は接続情報を取得する。他の通信装置（１、３、４）は、取得した接続情報を用いて一の通信装置（１、３、４）へ通信接続する。このようにして、一の通信装置（１、３、４）に固有の接続情報が、情報処理デバイス（２、６）を介して他の通信装置（１、３、４）へ転送され、複数の通信装置（１、３、４）の間で通信接続が可能になる。
【００５７】
本発明においては、近距離通信無線により通信装置（１、３、４）から情報処理デバイス（２、６）へ接続情報を転送する。情報処理デバイス（２、６）を通信装置（１、３、４）に近接させることで容易に接続情報を転送させることができる。
【００５８】
本発明においては、通信装置（１、３、４）は表示部（１５）に図形コードを表示することによって接続情報を出力し、情報処理デバイス（２）はカメラ部（２６）で図形コードを読み取ってデコードすることにより接続情報を取得する。図形コードの表示及び読み取りにより容易に接続情報を転送させることができる。
【００５９】
本発明においては、近距離通信無線により情報処理デバイス（２、６）から通信装置（１、３、４）へ接続情報を転送する。情報処理デバイス（２、６）を通信装置（１、３、４）に近接させることで容易に接続情報を転送させることができる。
【００６０】
本発明においては、情報処理デバイス（２）は表示部（２５）に図形コードを表示することによって接続情報を出力し、通信装置（１、３、４）はカメラ部（１８、４６）で図形コードを読み取ってデコードすることにより接続情報を取得する。図形コードの表示及び読み取りにより容易に接続情報を転送させることができる。
【符号の説明】
【００６１】
１  ＰＣ（通信装置）
１１  ＣＰＵ
１３  記憶部
１５  表示部
１６  ＮＦＣ部
１７  通信部
１８  カメラ部
２  携帯機器（情報処理デバイス）
２１  処理部
２２  記憶部
２３  ＮＦＣ部
２５  表示部
２６  カメラ部
３  ディスプレイ装置（通信装置）
４  画像処理装置（通信装置）
４１  制御部
４２  記憶部
４５  表示部
４６  カメラ部
４７  通信部
４８  読取部
４９  画像記録部
５  通信ネットワーク
６  ＩＣカード（情報処理デバイス）
６１  処理部
６２  記憶部
６３  ＮＦＣ部
【図１】
0005963730.tif 000002
【図２】
0005963730.tif 000003
【図３】
0005963730.tif 000004
【図４】
0005963730.tif 000005
【図５】
0005963730.tif 000006
【図６】
0005963730.tif 000007
【図７】
0005963730.tif 000008
【図８】
0005963730.tif 000009
【図９】
0005963730.tif 000010
【図１０】
0005963730.tif 000011
【図１１】
0005963730.tif 000012
【図１２】
0005963730.tif 000013
【図１３】
0005963730.tif 000014
【図１４】
0005963730.tif 000015
【図１５】
0005963730.tif 000016